(57)【要約】【課題】移動体端末装置の利用者の利便性を向上させる。【解決手段】携帯電話１０の初期化等により書換え可能記憶領域２３Ａが初期化されると、操作者の指令に従って又は自動的に、読出し専用記憶領域２３Ｏからプレインストールアプリケーションが読み出され、書換え可能記憶領域に複写される（ステップＳ１２）。この後、必要に応じて、プレインストールアプリケーションの更新情報が取得され、書換え可能記憶領域に複写されたプレインストールアプリケーションに反映される（ステップＳ１３〜Ｓ１５）。そして、操作者によりプリインストールアプリケーションの起動が指令されると、書換え可能記憶領域上のプレインストールアプリケーションが実行される（ステップＳ１６）。【選択図】  図４
2004355479.tif 000002
【特許請求の範囲】
【請求項１】
移動体端末装置の読出し専用記憶領域に格納されたプレインストールアプリケーションを実行するプレインストールアプリケーションの実行方法であって、
前記読出し専用記憶領域から前記プレインストールアプリケーションを読み出して、書換え可能記憶領域に前記プレインストールアプリケーションを複写する複写工程と；
前記書換え可能記憶領域に複写されたプレインストールアプリケーションを実行する実行工程と；を備えるプレインストールアプリケーションの実行方法。
【請求項２】
前記プレインストールアプリケーションに関する更新情報に基づいて、前記書換え可能記憶領域内の前記プレインストールアプリケーションを更新する更新工程を更に備える、ことを特徴とする請求項１に記載のプレインストールアプリケーションの実行方法。
【請求項３】
プレインストールアプリケーションが格納された読出し専用記憶手段と；
前記プレインストールアプリケーションが複写される書込み可能記憶手段と；前記読出し専用記憶領域から前記プレインストールアプリケーションを読み出して、前記書換え可能記憶領域に前記プレインストールアプリケーションに複写する複写手段と；
前記書換え可能記憶領域に複写されたプレインストールアプリケーションを実行する実行手段と；を備える移動体端末装置。
【請求項４】
前記プレインストールアプリケーションが複写される書換え可能記憶領域は、前記移動体端末装置の電源がオフされても記憶内容が消失しない不揮発性書換え可能記憶領域である、ことを特徴とする請求項３に記載の移動体端末装置。
【請求項５】
前記プレインストールアプリケーションに関する更新情報に基づいて、前記書換え可能記憶領域内の前記プレインストールアプリケーションを更新する更新手段を更に備える、ことを特徴とする請求項３又は４に記載の移動体端末装置。
【発明の詳細な説明】
【０００１】
【発明の属する技術分野】
本発明は、プレインストールアプリケーションの実行方法及び移動体端末装置に係り、より詳しくは、移動体端末装置の読出し専用記憶領域に格納されたプレインストールアプリケーションを実行するプレインストールアプリケーションの実行方法、及び、この実行方法を使用する移動体端末装置に関するものである。
【０００２】
【従来の技術】
従来から、携帯電話等の移動体端末装置が広く普及している。こうした移動体端末装置の機能や性能の向上は目覚しく、移動体端末装置としての必須機能である通話機能やメールの送受信機能に加えて、アプリケーションを実行して、ゲーム等を楽しめるようになっている。
【０００３】
こうしたアプリケーションとしては、基地局を介した無線通信等により事後的にダウンロードして取得するものもあるが、移動体端末装置に事前にインストールされて利用者に提供される、いわゆるプレインストールアプリケーションもある。かかるプレインストールアプリケーションは、移動体端末装置における記憶装置の読出し専用記憶領域に格納されている。そして、操作者（利用者）の指令により、読出し専用記憶領域に格納されたプレインストールアプリケーションが実行されるようになっている。
【０００４】
【発明が解決しようとする課題】
上述した従来の移動端末装置では、プレインストールアプリケーションは、移動体端末装置における記憶装置の読出し専用記憶領域に格納されているので、ダウンロードによって取得されたアプリケーションのように、移動体端末装置の初期化等によって消去されてしまうことはない。このため、利用者が、プレインストールアプリケーションが格納された移動体端末装置を保有していれば、その移動体端末装置の利用者は、いつでも当該プレインストールアプリケーションを実行し、楽しむことができる。
【０００５】
しかし、従来の移動端末装置では、プレインストールアプリケーションは、移動体端末装置における記憶装置の読出し専用記憶領域に格納されているので、書き換えることができない。このため、そのプレインストールアプリケーションについてバージョンアップがあったとしても、そのバージョンアップを反映することができなかった。そして、バージョンアップされたものを楽しもうとすると、新たにダウンロード等をして取得しなければならなかった。また、プレインストールアプリケーションが試使用版（いわゆるお試し版）であった場合にも、試使用版を使用してみて気に入り、試使用版を拡充させた本使用版を取得しようとすると、本使用版を新たにダウンロード等をして取得しなければならなかった。
【０００６】
本発明は、上記の鑑みてなされたものであり、移動体端末装置の利用者の利便性を向上させることができるプレインストールアプリケーションの実行方法を提供することを目的とする。
【０００７】
また、本発明は、利用者の利便性を向上させた移動体端末装置を提供することを目的とする。
【０００８】
【課題を解決するための手段】
本発明のプレインストールアプリケーションの実行方法であって、移動体端末装置の読出し専用記憶領域に格納されたプレインストールアプリケーションを実行するプレインストールアプリケーションの実行方法であって、前記読出し専用記憶領域から前記プレインストールアプリケーションを読み出して、書換え可能記憶領域に前記プレインストールアプリケーションを複写する複写工程と；前記書換え可能記憶領域に複写されたプレインストールアプリケーションを実行する実行工程と；を備えるプレインストールアプリケーションの実行方法である。
【０００９】
このプレインストールアプリケーションの実行方法では、移動体端末装置の初期化等により書換え可能記憶領域が初期化されると、自動的に又は操作者の指令により、複写工程において、読出し専用記憶領域からプレインストールアプリケーションが読み出され、書換え可能記憶領域に複写される。この後、操作者により当該プレインストールアプリケーションの起動が指令されると、実行工程において、書換え可能記憶領域に複写されたプレインストールアプリケーションが実行される。
【００１０】
このため、従来の場合と同様に、移動体端末装置の初期化等により書換え可能記憶領域が初期化されたとしても、読出し専用記憶領域にはプレインストールアプリケーションが残っている。このため、ダウンロード等によりプレインストールアプリケーションと同一のアプリケーションを新たに取得しなくとも、読出し専用記憶領域に格納されているプレインストールアプリケーションを再度書換え可能記憶領域に複写して、実行することができる。
【００１１】
また、プレインストールアプリケーションの実行に際しては、書換え可能記憶領域に複写されたプレインストールアプリケーションが実行される。このため、必要に応じて、実行されるプレインストールアプリケーションを変更して実行することができる。
【００１２】
したがって、本発明のプレインストールアプリケーションの実行方法によれば、移動体端末装置の利用者の利便性を向上させることができる。
【００１３】
本発明のプレインストールアプリケーションの実行方法では、前記プレインストールアプリケーションに関する更新情報に基づいて、前記書換え可能記憶領域内の前記プレインストールアプリケーションを更新する更新工程を更に備えることとすることができる。この場合には、プレインストールアプリケーションのバージョンアップに伴う更新情報をダウンロード等により取得した後、更新工程において、書換え可能記憶領域内のプレインストールアプリケーションを更新することにより、バージョンアップ内容を反映したり、試使用版を本使用版に拡充したりすることができる。
【００１４】
本発明の移動体端末装置は、プレインストールアプリケーションが格納された読出し専用記憶手段と；前記プレインストールアプリケーションが複写される書込み可能記憶手段と；前記読出し専用記憶領域から前記プレインストールアプリケーションを読み出して、前記書換え可能記憶領域に前記プレインストールアプリケーションに複写する複写手段と；前記書換え可能記憶領域に複写されたプレインストールアプリケーションを実行する実行手段と；を備える移動体端末装置である。
【００１５】
この移動体端末装置では、移動体端末装置の初期化等により書換え可能記憶領域が初期化されると、自動的に又は操作者の指令に従って、複写手段が、読出し専用記憶領域からプレインストールアプリケーションを読み出し、書換え可能記憶領域に複写する。この後、操作者により当該プレインストールアプリケーションの起動が指令されると、実行手段が、書換え可能記憶領域に複写されたプレインストールアプリケーションを実行する。すなわち、この移動体端末装置は、上述した本発明のプレインストールアプリケーションの実行方法を使用して、プレインストールアプリケーションを実行する。
【００１６】
したがって、本発明の移動体端末装置によれば、利用者の利便性を向上させることができる。
【００１７】
本発明の移動体端末装置では、前記プレインストールアプリケーションが複写される書換え可能記憶領域が、前記移動体端末装置の電源がオフとされても記憶内容が消失しない不揮発性書換え可能記憶領域である構成とすることができる。この場合には、不揮発性書換え可能記憶領域は、電源がオフとされても消失しないので、電源をオフとした後にオンとする度に、複写手段が、読出し専用記憶領域からプレインストールアプリケーションを読み出し、書換え可能記憶領域に複写する必要がなくなる。
【００１８】
また、本発明の移動体端末装置では、前記プレインストールアプリケーションに関する更新情報に基づいて、前記書換え可能記憶領域内の前記プレインストールアプリケーションを更新する更新手段を更に備える構成とすることができる。この場合には、プレインストールアプリケーションのバージョンアップに伴う更新情報をダウンロード等により取得した後、更新手段が、書換え可能記憶領域内のプレインストールアプリケーションを更新することにより、バージョンアップ内容を反映したり、試使用版を本使用版に拡充したりすることができる。
【００１９】
【発明の実施の形態】
以下、本発明の一実施形態を、図１〜図４を参照しつつ説明する。
【００２０】
図１及び図２には、一実施形態に係る移動体端末装置である携帯電話１０の構成が概略的に示されている。ここで、図１（Ａ）には、携帯電話１０の外観の正面図が示され、図１（Ｂ）には、携帯電話１０の外観の裏面図が示されている。また、図２には、携帯電話１０の機能ブロック構成が示されている。
【００２１】
図１及び図２において総合的に示されるように、携帯電話１０は、（ａ）制御部２１、送受信部２２及び記憶装置２３を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６と、（ｆ）送受信部２２と接続され、基地局との間で無線信号を授受するためのアンテナ１７とを備えている。
【００２２】
上記の記憶装置２３は、読出し専用領域２３Ｏと、電源がオフされても記憶内容が破壊されない不揮発性書換え可能領域２３Ａとを有している。なお、記憶装置２３における読出し専用領域２３Ｏ又は不揮発性書換え可能領域２３Ａ以外の領域は、電源がオフされても記憶内容が破壊される揮発性書換え可能領域となっている。
【００２３】
読出し専用領域２３Ｏにはプレインストールアプリケーション３３Ｏが格納されている。また、不揮発性書換え可能領域２３Ａには、プレインストールアプリケーション３３Ｏを複写したプレインストールアプリケーション３３Ａが格納できるようになっている。ここで、携帯電話１０の向上出荷時には、読出し専用領域２３Ｏにはプレインストールアプリケーション３３Ｏ（以下、「アプリケーション３３Ｏ」とも呼ぶ）が格納され、また、不揮発性書換え可能領域２３Ａにはプレインストールアプリケーション３３Ａ（以下、「アプリケーション３３Ａ」とも呼ぶ）が格納されるようになっている。なお、携帯電話１０の工場出荷時には、読出し専用領域２３Ｏにはプレインストールアプリケーション３３Ｏが格納されているのみで、不揮発性書換え可能領域２３Ａへのプレインストールアプリケーション３３Ａの格納は、携帯電話１０の利用者の指令によって行われることとしてもよい。
【００２４】
上記の制御部２１は、中央処理装置（ＣＰＵ）、デジタル信号処理装置（ＤＳＰ）を備えており、一般的な携帯電話機能を実現するために、様々なデータ処理を行うとともに、上述した他の構成要素の動作制御を行うようになっている。この制御部２１において実行されるプログラム等のソフトウエアの構成は、図３に示されるようになっている。
【００２５】
すなわち、制御部２１におけるソフトウエアは、（ｉ）携帯電話としての基本機能である通話機能及びメール機能を実現するとともに、上述した各種のハードウエア資源の制御を行う基本処理部３１と、（ｉｉ）ゲーム等の様々なコンテンツを利用者に提供するためのアプリケーション３３Ａと、（ｉｉｉ）基本処理部３１とアプリケーション３３Ａとの間に位置し、アプリケーション３３Ａの実行環境を提供する実行環境部３２とから構成されている。ここで、実行環境部３２Ａは、アプリケーション３３Ａと基本処理部３１との間のコマンド変換、アプリケーション３３Ａの管理等のアプリケーション実行のためのソフトウエア資源を提供する一組のプログラムである。
【００２６】
なお、基本処理部３１及び実行環境部３２も、携帯電話１０の工場出荷時から携帯電話１０の読出し専用領域２３Ｏに格納されている。また、携帯電話１０における実行可能なアプリケーションの数は１つに限られる訳ではなく、通常は携帯電話１０内に複数存在しているが、図３においては、模式的に１つのアプリケーション３３Ａのみが示されている。
【００２７】
基本処理部３１と実行環境部３２との間では、アプリケーション３３に関連して、要求、応答、イベント発生等の情報が適宜やり取りされるようになっている。また、実行環境部３２とアプリケーション３３との間では、アプリケーション３３からの各種の要求が実行環境部３２に通知されるとともに、実行環境部３２から応答やイベント発生が通知されるようになっている。
【００２８】
次に、以上のように構成された携帯電話１０におけるプレインストールアプリケーションの実行について説明する。なお、以下では、携帯電話１０の初期化に伴う記憶装置２３のオールリセットが行われてプレインストールアプリケーション３３Ａが消去されてから、プレインストールアプリケーション３３Ａが最新のバージョンで実行されるまでの処理を例に挙げて説明する。
【００２９】
前提として、携帯電話１０の初期化前には、記憶装置２３の不揮発性書換え可能領域２３Ａにプレイントールアプリケーション３３Ａが実装されていたものとする。また、プレイントールアプリケーション３３Ａに関するバージョンアップに伴う更新情報は、アンテナ１７及び送受信部２２を介してダウンロードできるものとする。
【００３０】
まず、図４のステップＳ１１において、操作者の指令により、携帯電話１０が初期化される。この結果、記憶装置２３の書換え可能領域がリセットされ、不揮発性書換え可能領域２３Ａに実装されていたプレイントールアプリケーション３３Ａが消去される。
【００３１】
次に、ステップＳ１２において、操作者の指令に応じて、制御部２１（より詳しくは、制御部２１で実行されている基本処理部３１）が、読出し専用領域２３Ｏに格納されているプレインストールアプリケーション３３Ｏを読み出し、不揮発性書換え可能領域２３Ａ内に複写する。この結果、不揮発性書換え可能領域２３Ａ内にプレインストールアプリケーション３３Ａが実装される。
【００３２】
次いで、ステップＳ１３において、操作者の指令に応じて、制御部２１が、プレインストールアプリケーション３３Ａの更新情報の取得を試みる。この更新情報の取得の試みは、制御部２１が、送受信部２２を制御して、アンテナを介して更新情報のダウンロードを試みることにより行われる。
【００３３】
引き続き、ステップＳ１４において、プレインストールアプリケーション３３Ａの更新情報があるか否かが判定される。この判定が否定的であった場合には、現在のプレインストールアプリケーション３３Ａの内容が最新バージョンであると判断され、処理がステップＳ１６へ移行する。
【００３４】
ステップＳ１４において肯定的な判定がなされると、処理はステップＳ１５へ移行する。このステップＳ１５においては、取得された更新情報に基づいて、プレインストールアプリケーション３３Ａが更新される。この更新が終了すると、処理はステップＳ１６へ移行する。
【００３５】
ステップＳ１６では、操作者の指令に応じて、プレインストールアプリケーション３３Ａが起動され、制御部２１により実行される。こうして、携帯電話１０の初期化に伴う記憶装置２３のオールリセットが行われてプレインストールアプリケーション３３Ａが消去されてから、プレインストールアプリケーション３３Ａが最新のバージョンで実行されるまでの処理が終了する。
【００３６】
以上説明したように、本実施形態では、携帯電話１０では、携帯電話１０の初期化により書換え可能記憶領域２３Ａが初期化されると、操作者の指令に従って、制御部２１が、読出し専用記憶領域２３Ｏからプレインストールアプリケーション３３Ｏを読み出し、書換え可能記憶領域２３Ａに複写する。この後、操作者により当該プレインストールアプリケーション３３Ａの起動が指令されると、制御部手段が、書換え可能記憶領域２３Ａに複写された実行用のプレインストールアプリケーション３３Ａを実行する。
【００３７】
すなわち、プレインストールアプリケーション３３Ａが書換え可能記憶領域２３Ａから消去されたとしても、ダウンロード等によりプレインストールアプリケーション３３Ａと同一のアプリケーションを新たに取得しなくとも、読出し専用記憶領域に格納されているプレインストールアプリケーション３３Ｏを書換え可能記憶領域２３Ａに複写して実行用のプレインストールアプリケーション３３Ａとし、これを実行することができる。
【００３８】
また、書換え可能記憶領域２３Ａに複写されたプレインストールアプリケーション３３Ａが実行されるので、プレインストールアプリケーション３３Ａのバージョンアップに伴う更新情報をダウンロード等により取得した後、制御部２１が、書換え可能記憶領域内のプレインストールアプリケーション３３Ａを更新することができる。この結果、実行されるプレインストールアプリケーション３３Ａのバージョンアップを反映することができる。
【００３９】
また、読出し専用記憶領域に格納されているプレインストールアプリケーション３３Ｏを不揮発性書換え可能記憶領域２３Ａに複写して実行用のプレインストールアプリケーション３３Ａとするので、携帯電話１０の電源をオフした後にオンする度に、制御部２１が、読出し専用記憶領域２３Ｏからプレインストールアプリケーション３３Ｏを読み出し、書換え可能記憶領域２３Ａに複写する必要がない。
【００４０】
なお、上記の実施形態では、携帯電話１０の初期化後の処理を説明したが、携帯電話１０の初期化と同様に不揮発性書換え可能記憶領域２３Ａから実行用のプレインストールアプリケーション３３Ａが消失するアプリケーション初期化後や、プレインストールアプリケーション３３Ａのみの初期化後も、携帯電話１０の初期化後と同様の処理を行うことができる。
【００４１】
また、上記の実施形態では、プレインストールアプリケーション３３Ａのバージョンアップに伴う更新を説明したが、更新内容は、試使用版から本使用版への拡充用の内容であってもよい。
【００４２】
また、上記の実施形態では、携帯電話１０の初期化後、操作者の指令により、制御部２１が、読出し専用記憶領域２３Ｏからプレインストールアプリケーション３３Ｏを読み出し、書換え可能記憶領域２３Ａに複写することとした。これに対し、携帯電話１０の初期化後、自動的に、制御部２１が、読出し専用記憶領域２３Ｏからプレインストールアプリケーション３３Ｏを読み出し、書換え可能記憶領域２３Ａに複写することとしてもよい。
【００４３】
また、上記の実施形態では、本発明を携帯電話に適用したが、携帯電話以外の移動体端末装置に本発明を適用することができるのは勿論である。
【００４４】
【発明の効果】
以上詳細に説明したように、本発明のプレインストールアプリケーションの実行方法によれば、移動体端末装置の利用者の利便性を向上させることができるという効果を奏する。
【００４５】
また、本発明の移動体端末装置は、本発明のプレインストールアプリケーションの実行方法を使用することができるので、利用者の利便性を向上させることができるという効果を奏する。
【図面の簡単な説明】
【図１】本発明の一実施形態に係る携帯電話の外観構成を概略的に示す図である。
【図２】図１の携帯電話の機能ブロック図である。
【図３】図２の制御部で動作するソフトウエアの構成を概略的に示す図である。
【図４】図１の装置の動作を説明するためのフローチャートである。
【符号の説明】
１０…携帯電話（移動体端末装置）、１１…携帯電話本体、１２…操作部、１３…表示部、１４…通話用スピーカ、１５…マイクロフォン、１６…案内用スピーカ、１７…アンテナ（無線通信手段の一部）、１８…撮像部、１９…画像圧縮部、２１…制御部（複写手段、更新手段）、２２…送受信部、２３…記憶装置、２３Ａ…不揮発性書換え可能記憶領域、２３Ｏ…読出し専用記憶領域、３１…基本処理部、３２…実行環境部、３３Ａ，３３Ｏ…プレインストールアプリケーション。
【図１】
2004355479.tif 000003
【図２】
2004355479.tif 000004
【図３】
2004355479.tif 000005
【図４】
2004355479.tif 000006